(57)【要約】表示モジュールは、保護ガラス、表示コンポーネント、偏光コンポーネント及びエレクトロクロミックコンポーネントを備え、表示モジュールの内面の第１領域が画像収集モジュールの感光面に覆われており、表示モジュールの内面が表示モジュールの外面の反対側の面であり、偏光コンポーネントが表示コンポーネントと保護ガラスとの間に位置し、表示コンポーネントにより反射された環境光をフィルタリングすることに用いられ、第２領域が表示モジュールにおける第１領域を覆っている領域であり、エレクトロクロミックコンポーネントは保護ガラスと表示コンポーネントとの間に位置し、偏光コンポーネントに隣接して設置されて、第２領域内に充填され、印加された電気信号に基づき、表示モジュールがスクリーンオン状態にあり又は画像収集モジュールが画像収集状態にあるとき、第１透明度を有し、表示モジュールがスクリーンオフ状態にあるとき、第２透明度を有する。
2021529976.tif 000002
【特許請求の範囲】
【請求項１】
表示モジュールであって、
表示モジュールの外面に位置し、前記表示モジュールを保護するように構成される保護ガラスであって、前記表示モジュールの内面の第１領域が画像収集モジュールの感光面に覆われており、前記表示モジュールの内面が前記表示モジュールの外面の反対側の面である保護ガラスと、
表示領域内に表示するように構成される表示コンポーネントと、
前記表示コンポーネントと前記保護ガラスとの間に位置し、第２領域以外の前記表示領域内に偏光作用に基づいて前記表示コンポーネントにより反射された環境光をフィルタリングするように構成される偏光コンポーネントであって、前記第２領域が前記表示モジュールにおける前記第１領域を覆っている領域である偏光コンポーネントと、
前記保護ガラスと前記表示コンポーネントとの間に位置し、前記偏光コンポーネントに隣接して設置されて、前記第２領域内に充填されているエレクトロクロミックコンポーネントと、を備え、
前記エレクトロクロミックコンポーネントは、印加された電気信号に基づき、前記表示モジュールがスクリーンオン状態にあり又は前記画像収集モジュールが画像収集状態にあるとき、第１透明度を有し、前記表示モジュールがスクリーンオフ状態にあるとき、第２透明度を有するように構成され、前記第２透明度は前記第１透明度より低い、前記表示モジュール。
【請求項２】
前記偏光コンポーネントは、前記表示モジュールがスクリーンオフ状態にあるとき、偏光作用に基づいて前記表示コンポーネントにより反射された環境光をフィルタリングする際に生じた透明度を第３透明度とし、前記第２透明度と前記第３透明度との差が所定範囲内にある
請求項１に記載の表示モジュール。
【請求項３】
前記偏光コンポーネントは、
偏光基板と、
前記偏光基板に設置されて、前記偏光作用を有し、前記第２領域以外の前記表示領域内に位置する偏光層と、を備える
請求項１又は２に記載の表示モジュール。
【請求項４】
前記偏光基板が前記第２領域以外の前記表示領域内に位置し、
前記エレクトロクロミックコンポーネントと前記偏光コンポーネントとが前記表示モジュールに平行する平面内に並列して設置される
請求項３に記載の表示モジュール。
【請求項５】
前記偏光基板が前記表示領域全体内に位置し、
前記エレクトロクロミックコンポーネントは、
前記偏光基板の前記第２領域内の部分に覆われている第１電極層と、
前記第１電極層に対向して設置され、印加された前記電気信号に基づき、前記第１電極層と相互作用して電界を生じるように構成される第２電極層と、
前記第１電極層と前記第２電極層との間に位置し、前記第１電極層と前記第２電極層との間に形成された電界に基づき、前記エレクトロクロミック材料の透明度を変えるように構成されるエレクトロクロミック材料と、を含む
請求項３に記載の表示モジュール。
【請求項６】
前記偏光基板は、
第１表面と、
前記第１表面の反対側の面であって、前記第１表面より前記表示コンポーネント寄り面である第２表面と、を含み、
前記第１電極層が前記第１表面の前記第２領域内に設置され、又は、前記第１電極層が前記第２表面の前記第２領域内に設置される
請求項５に記載の表示モジュール。
【請求項７】
前記第１電極層が前記第１表面にスプレーされる前記第２領域内の透明電極層であり、
又は、
前記第１電極層が前記第２表面にスプレーされる前記第２領域内の透明電極層である
請求項６に記載の表示モジュール。
【請求項８】
前記エレクトロクロミック材料が前記第１電極層上にスプレーされる
請求項７に記載の表示モジュール。
【請求項９】
前記表示モジュールは、更に、
前記偏光コンポーネントと前記表示コンポーネントとの間に位置し、タッチ操作を検出するように構成されるタッチコンポーネントと、
前記タッチコンポーネントと前記偏光コンポーネントとを接着して、前記第２領域以外の前記表示領域内に位置する第１透明接着層と、を備え、
前記第１透明接着層は、第１厚さを有し、前記タッチコンポーネントと前記偏光基板との間に第１収容空間を形成させ、前記エレクトロクロミックコンポーネントが前記第１収容空間内に位置する
請求項６に記載の表示モジュール。
【請求項１０】
前記表示モジュールは、更に、
前記保護ガラスと前記偏光コンポーネントとを接着して、前記第２領域以外の表示領域内に位置する第２透明接着層を備え、
前記第２透明接着層は、第２厚さを有し、前記保護ガラスと前記偏光基板との間に第２収容空間を形成させ、前記エレクトロクロミックコンポーネントが前記第２収容空間内に位置する
請求項６に記載の表示モジュール。
【請求項１１】
表示装置であって、
請求項１〜１０のいずれか１項に記載の表示モジュールである表示モジュールと、
環境光をセンシングして画像を形成する感光面を有し、前記感光面が前記表示モジュールの内面の第１領域で覆われている画像収集モジュールと、
それぞれ前記表示モジュール及び前記画像収集モジュールと電気接続が確立され、前記表示モジュールがスクリーンオン状態にあり又は前記画像収集モジュールが画像収集状態にあるとき、前記表示モジュールにおけるエレクトロクロミックが第１透明度を有するように制御し、前記表示モジュールがスクリーンオフ状態にあるとき、第２透明度を有するように構成される処理モジュールであって、前記第２透明度は前記第１透明度より低い処理モジュールと、を備える、前記表示装置。
【発明の詳細な説明】
【技術分野】
【０００１】
（関連出願の相互参照）
本願は、２０１９年０５月３１日に提出した中国特許出願第２０１９１０４７３１９５．４号の優先権を主張し、ここで、該中国特許出願の全内容が本願の一部として援用される。
【０００２】
本開示は表示技術分野に関するが、表示技術分野に限らず、特に表示モジュール、表示装置、表示装置の制御方法及び記憶媒体に関する。
【背景技術】
【０００３】
フルスクリーン技術の発展に伴い、モバイル端末等の装置の前置カメラが依然として直接装置正面の面積を占めれば、装置の画面占有率が低下してしまう。カメラをスクリーンの下部に設置すれば、スクリーンオフ状態においてカメラをはっきりと見えるため、装置のスクリーンの全体感に悪影響を与えてしまい、ユーザー体験が悪い。
【発明の概要】
【発明が解決しようとする課題】
【０００４】
本開示は表示モジュール、表示装置、表示装置の制御方法及び記憶媒体を提供する。
【課題を解決するための手段】
【０００５】
表示モジュールであって、
表示モジュールの外面に位置し、前記表示モジュールを保護するように構成される保護ガラスであって、前記表示モジュールの内面の第１領域が画像収集モジュールの感光面に覆われており、前記表示モジュールの内面が前記表示モジュールの外面の反対側の面である保護ガラスと、
表示領域内に表示するように構成される表示コンポーネントと、
前記表示コンポーネントと前記保護ガラスとの間に位置し、第２領域以外の前記表示領域内に偏光作用に基づいて前記表示コンポーネントにより反射された環境光をフィルタリングするように構成される偏光コンポーネントであって、前記第２領域が前記表示モジュールにおける前記第１領域を覆っている領域である偏光コンポーネントと、
前記保護ガラスと前記表示コンポーネントとの間に位置し、前記偏光コンポーネントに隣接して設置されて、前記第２領域内に充填されており、印加された電気信号に基づき、前記表示モジュールがスクリーンオン状態にあり又は前記画像収集モジュールが画像収集状態にあるとき、第１透明度を有し、前記表示モジュールがスクリーンオフ状態にあるとき、第２透明度を有するように構成されるエレクトロクロミックコンポーネントであって、前記第２透明度は前記第１透明度より低いエレクトロクロミックコンポーネントと、を備える。
【０００６】
上記解決手段によれば、前記偏光コンポーネントは前記表示モジュールがスクリーンオフ状態にあるとき、偏光作用に基づいて前記表示コンポーネントにより反射された環境光をフィルタリングする際に生じた透明度を第３透明度とし、
前記第２透明度と前記第３透明度との差が所定範囲内にある。
【０００７】
上記解決手段によれば、前記偏光コンポーネントは、
偏光基板と、
前記偏光基板に設置されて、前記偏光作用を有し、前記第２領域以外の前記表示領域内に位置する偏光層と、を備える。
【０００８】
上記解決手段によれば、前記偏光基板が前記第２領域以外の前記表示領域内に位置し、
前記エレクトロクロミックコンポーネントと前記偏光コンポーネントとが前記表示モジュールに平行する平面内に並列して設置される。
【０００９】
上記解決手段によれば、前記偏光基板が前記表示領域全体内に位置し、
前記エレクトロクロミックコンポーネントは、
前記偏光基板の前記第２領域内の部分に覆われている第１電極層と、
前記第１電極層に対向して設置され、印加された前記電気信号に基づき、前記第１電極層と相互作用して電界を生じるように構成される第２電極層と、
前記第１電極層と前記第２電極層との間に位置し、前記第１電極層と前記第２電極層との間に形成された電界に基づき、前記エレクトロクロミック材料の透明度を変えるように構成されるエレクトロクロミック材料と、を含む。
【００１０】
上記解決手段によれば、前記偏光基板は、
第１表面と、
前記第１表面の反対側の面であって、前記第１表面より前記表示コンポーネント寄り面である第２表面と、含み、
前記第１電極層が前記第１表面の前記第２領域内に設置され、又は、前記第１電極層が前記第２表面の前記第２領域内に設置される。
【００１１】
上記解決手段によれば、前記第１電極層が前記第１表面にスプレーされる前記第２領域内の透明電極層であり、
又は、
前記第１電極層が前記第２表面にスプレーされる前記第２領域内の透明電極層である。
【００１２】
上記解決手段によれば、前記エレクトロクロミック材料が前記第１電極層上にスプレーされる。
【００１３】
上記解決手段によれば、前記表示モジュールは、更に、
前記偏光コンポーネントと前記表示コンポーネントとの間に位置し、タッチ操作を検出するように構成されるタッチコンポーネントと、
前記タッチコンポーネントと前記偏光コンポーネントとを接着して、前記第２領域以外の前記表示領域内に位置する第１透明接着層と、を備え、
前記第１透明接着層は、第１厚さを有し、前記タッチコンポーネントと前記偏光基板との間に第１収容空間を形成させ、前記エレクトロクロミックコンポーネントが前記第１収容空間内に位置する。
【００１４】
上記解決手段によれば、前記表示モジュールは、更に、
前記保護ガラスと前記偏光コンポーネントとを接着して、前記第２領域以外の表示領域内に位置する第２透明接着層を備え、
前記第２透明接着層は、第２厚さを有し、前記保護ガラスと前記偏光基板との間に第２収容空間を形成させ、前記エレクトロクロミックコンポーネントが前記第２収容空間内に位置する。
【００１５】
表示装置であって、
上記いずれか１つの技術案に係る表示モジュールである表示モジュールと、
環境光をセンシングして画像を形成する感光面を有し、前記感光面が前記表示モジュールの内面の第１領域で覆われている画像収集モジュールと、
それぞれ前記表示モジュール及び前記画像収集モジュールと電気接続が確立され、前記表示モジュールがスクリーンオン状態にあり又は前記画像収集モジュールが画像収集状態にあるとき、前記表示モジュールにおけるエレクトロクロミックが第１透明度を有するように制御し、前記表示モジュールがスクリーンオフ状態にあるとき、第２透明度を有するように構成される処理モジュールであって、前記第２透明度は前記第１透明度より低い処理モジュールと、を備える。
【発明の効果】
【００１６】
以上の一般的な説明及び以下の詳細な説明は例示及び解釈のためのものであり、本開示を制限するためのものではないと理解すべきである。
【００１７】
本実施例に係る表示モジュールにおいて、表示モジュールの第１側に位置する第１領域が画像収集モジュールの感光面に対向して設置されるが、表示モジュールにおける前記第１領域から第２領域までを覆っている部分にエレクトロクロミックコンポーネントが設置され、該エレクトロクロミックコンポーネントは表示モジュールがスクリーンオン状態にあり又は前記画像収集モジュールが画像収集状態にあるとき、より高い透明度を有し、これにより、表示モジュールの通常表示及び画像収集モジュールの画像の通常を確保する。そして、表示モジュールがスクリーンオフ状態にあるとき、エレクトロルミネッセンス表示コンポーネントがより低い透明度を有し、これにより、第１領域内の画像表示モジュール及び第２領域内の表示モジュールの構造が直接露出することがなく、表示装置の表示効果と外観効果との整合性を維持する。
【図面の簡単な説明】
【００１８】
【図１】図１は例示的な実施例に係る表示モジュールの構造模式図である。
【図２】図２は例示的な実施例に係る表示モジュールの効果模式図である。
【図３Ａ】図３Ａは例示的な実施例に係る表示モジュールの他の効果模式図である。
【図３Ｂ】図３Ｂは例示的な実施例に係る表示モジュールの別の効果模式図である。
【図４】図４は例示的な実施例に係る他の表示モジュールの構造模式図である。
【図５】図５は例示的な実施例に係る別の表示モジュールの構造模式図である。
【図６】図６は例示的な実施例に係る更なる表示モジュールの構造模式図である。
【図７】図７は例示的な実施例に係る表示装置の構造模式図である。
【図８】図８は例示的な実施例に係る表示装置の制御方法のフローチャートである。
【図９】図９は例示的な実施例に係る表示装置に対応する装置のブロック構成図である。
【発明を実施するための形態】
【００１９】
ここで、図面は明細書に援用されて本明細書の一部となり、本開示に一致する実施例を示し、且つ明細書とともに本開示の原理を解釈することに用いられる。
【００２０】
ここで、例示的な実施例を詳しく説明し、その例を図面に示す。以下の説明は図面に関わる場合、特に断りがない限り、異なる図面における同じ数字が同じ又は類似の要素を示す。以下の例示的な実施例に説明される実施形態は本開示に一致する実施形態のすべてではない。逆に、それらは単に添付の特許請求の範囲に説明される、本開示のいくつかの態様に一致する装置及び方法の例である。
【００２１】
図１に示すように、本実施例は表示モジュールを提供する。該表示モジュールは、
表示モジュールの外面に位置し、前記表示モジュールを保護するように構成される保護ガラス１１であって、前記表示モジュールの内面の第１領域が画像収集モジュールの感光面に覆われており、前記表示モジュールの内面が前記表示モジュールの外面の反対側の面である保護ガラス１１と、
表示領域内に表示するように構成される表示コンポーネント１２と、
前記表示コンポーネント１２と前記保護ガラス１１との間に位置し、第２領域以外の前記表示領域内に偏光作用に基づいて前記表示コンポーネント１２により反射された環境光をフィルタリングするように構成される偏光コンポーネント１３であって、前記第２領域が前記表示モジュールにおける前記第１領域を覆っている領域である偏光コンポーネント１３と、
前記保護ガラス１１と前記表示コンポーネント１２との間に位置し、前記偏光コンポーネント１３に隣接して設置されて、前記第２領域内に充填されており、印加された電気信号に基づき、前記表示モジュールがスクリーンオン状態にあり又は前記画像収集モジュールが画像収集状態にあるとき、第１透明度を有し、前記表示モジュールがスクリーンオフ状態にあるとき、第２透明度を有するように構成されるエレクトロクロミックコンポーネント１４であって、前記第２透明度は前記第１透明度より低いように構成されるエレクトロクロミックコンポーネント１４と、を備える。
【００２２】
本実施例では、前記表示コンポーネント１２が表示アレイを備え、これらの表示アレイが有機発光ダイオード（ＯＬＥＤ：Ｏｒｇａｎｉｃ  Ｌｉｇｈｔ−Ｅｍｉｔｔｉｎｇ  Ｄｉｏｄｅ）からなる。前記表示コンポーネント１２が表示に使用されてもよい。
【００２３】
本実施例では、前記表示コンポーネント１２は透明コンポーネントであり、光を透過できるコンポーネントであり、前記表示モジュールの内面の第１領域内の画像収集モジュールは透明な前記表示コンポーネント１２によって画像収集を行うことができる。
【００２４】
該表示コンポーネント１２は表示モジュールがスクリーンオン状態にある際に表示し、表示モジュールがスクリーンオフ状態にある際に表示しない。
【００２５】
本実施例では、表示モジュールの内面の第１領域が画像収集モジュールに対向して設置され、且つ第１領域が前記画像収集モジュールの感光面に覆われており、例えば、画像収集モジュールの感光面が前記表示コンポーネント１２の第１領域に向かっている。該感光面が画像収集モジュールの収集面であり、該収集面が環境光をセンシングして、センシングされた環境光によって画像収集を行うことに用いられる。
【００２６】
該画像収集モジュールがモバイル端末の前置カメラであってもよい。
【００２７】
前記画像収集モジュールの位置する第１領域の前記表示モジュールにおける垂直投影が前記第２領域内に含まれる。
【００２８】
いくつかの実施例では、前記第２領域の面積が前記第１領域の面積に等しく、又は、前記第２領域の面積が前記第１領域の面積より少々大きい。
【００２９】
本願では、前記表示モジュールが画像収集状態において透明状態に入ることができるため、前記画像収集モジュールは収集モジュールによって画像収集を行うことができる。
【００３０】
本実施例では、前記偏光コンポーネント１３が１つ又は複数の偏光層を備え、これらの偏光層が偏光作用を有する。それと同時に、前記偏光コンポーネント１３自体の光透過率が低く、例えば、該光透過率が５０％以下、例えば５０％又は３０％以下である可能性がある。
【００３１】
偏光コンポーネント１３はまず低光透過率で表示モジュールの内部に入射された環境光の一部を減少させる一方、設定された偏光作用に基づいて前記表示コンポーネント１２が入射された環境光を反射してなる反射光をフィルタリングすることができ、これにより、多くの反射光を環境に投射させないようにして、ユーザーが光透過表示モジュールの外面を見えて表示モジュールを見えるようにする。
【００３２】
しかしながら、偏光コンポーネント１３の低光透過率のため、１つ又は複数のカメラで形成された画像収集モジュールに依然として偏光コンポーネント１３が設置されれば、画像収集モジュールが画像収集を行うことができなくなり、又は収集された画像輝度が極めて低くなる。従って、本実施例では、前記偏光コンポーネント１３が具体的に第２領域以外の表示領域内に光フィルタリングを行い、これにより、偏光コンポーネント１３が第２領域内に位置することがなく、それにより画像収集モジュールは表示モジュールの内面の第１領域、表示モジュールにおける第２領域によって画像収集を行うことができる。
【００３３】
このように、第２領域において偏光コンポーネント１３の偏光作用がなくなることに相当し、この表示コンポーネント１２がスクリーンオフ状態にあって、前記エレクトロクロミックコンポーネント１４を設置していない場合、光透過率が異なり及び反射光がフィルタリングされていないため、表示領域内の第２領域と第１領域との間に色収差又は透明度差が生じ、ひいては画像収集モジュール又は表示コンポーネントが第２領域によって露出する現象が生じてしまう。
【００３４】
本実施例では、前記第２領域は前記表示領域の１つのサブ領域であり、且つ該サブ領域が前記第１領域に対応する。前記第２領域は１つの矩形領域、円形領域又は楕円形領域が前記画像表示モジュールの形状及び寸法に一致する領域であってもよい。
【００３５】
本実施例に言及した画像収集モジュールが表示装置の前置カメラであってもよい。図２には第２領域及び第２領域以外の表示領域を示す。
【００３６】
図３Ａに示すように、画像収集モジュールが非画像収集状態にあるとき、第２領域及び第２領域以外の表示領域がいずれもスクリーンオン状態にある。図３Ａはデスクトップの表示模式図である。
【００３７】
図３Ｂには表示モジュールがスクリーンオフ状態（すなわち、非スクリーンオン状態）にあるときの第１領域内の画像収集モジュールの模式図を示す。本願の実施例に係る表示モジュールはスクリーンオフ状態において画像収集モジュールが露出せず、図３Ｂには画像収集モジュールと表示モジュールとの位置関係を示すために、差別化表示を行い、図３Ｂに示される効果が本願の実施例の実際の効果ではない。
【００３８】
本実施例では、前記表示モジュールに更にエレクトロクロミックコンポーネント１４が導入され、該エレクトロクロミックコンポーネント１４が前記表示モジュール内に統合してパッケージ化されたものであり、つまり、表示モジュールの１つの構成部分を構成する。
【００３９】
前記エレクトロクロミックコンポーネント１４がその上に印加した電気信号に基づき、その透明度を変えることにより、ユーザーは視覚的にその下方に位置する他のコンポーネントが表示しており又は表示していないことを感じる。
【００４０】
前記エレクトロクロミックコンポーネント１４は電気信号を印加するとき、電気信号を印加しないとき、又は印加された電気信号が異なるとき、少なくとも異なる透明度を呈することができる。
【００４１】
いくつかの実施例では、前記エレクトロクロミックコンポーネント１４は少なくとも２種類の状態、すなわち透明状態、非透明状態を有してもよい。前記透明状態が前記第１透明度を有し、前記非透明状態が第２透明度を有する。
【００４２】
いくつかの実施例では、前記エレクトロクロミックコンポーネント１４は２種類以上の状態を有してもよく、例えば、前記２種類以上の状態は、以下を含むが、それらに限らない。
【００４３】
第一：より高い光透過率を有し、基本的に大部分又は全部の光が透過できる透明状態；
第二：より低い光透過率を有し、基本的に光の透過を禁止し、又は大部分の光が透過できない非透明状態；
第三：前記透明状態と前記非透明状態との間にある中間状態であり、透明状態の光透過率より低く、非透明状態の光透過率より高い半透明の中間状態。
【００４４】
ここで、透過率は光が前記エレクトロクロミックコンポーネント１４を透過する確率である。
【００４５】
本実施例では、前記エレクトロクロミックコンポーネント１４は少なくともエレクトロクロミック材料を含み、該エレクトロクロミック材料は、
高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、
懸濁粒子デバイス（ＳＰＤ：Ｓｕｓｐｅｎｄｅｄ  Ｐａｒｔｉｃｌｅ  Ｄｅｖｉｃｅ）、
電子制御（ＥＣ：Ｅｌｅｃｔｒｏｎｉｃ  Ｃｏｎｔｒｏｌ）変色材料を含むが、それらに限らない。
【００４６】
本実施例では、表示モジュールにエレクトロクロミックコンポーネント１４が導入されるが、該エレクトロクロミックコンポーネント１４は印加された電気信号が異なるとき、異なる透明度を生じることができる。
【００４７】
本実施例では、表示コンポーネント１２が表示し又は画像収集モジュールが画像収集状態にあるとき、高透明度を有し、これにより、表示モジュールの表示効果及び画像収集モジュールの画像収集効果を確保するが、表示コンポーネント１２がスクリーンオフ状態にあるとき、透明度を低下させて、表示モジュールに全体的に同じ透明度及び同じ色調を有させ、それにより表示モジュールの整合性を向上させる。
【００４８】
前記エレクトロクロミックコンポーネント１４と前記偏光コンポーネント１３との設置は以下を含むが、それらのうちの少なくとも１つに限らない。
【００４９】
前記エレクトロクロミックコンポーネント１４と前記偏光コンポーネント１３とが左右に隣接して設置され、図４はエレクトロクロミックコンポーネント１４と前記偏光コンポーネント１３とが左右に隣接して設置される模式図である；
前記エレクトロクロミックコンポーネント１４と偏光コンポーネント１３とが上下に隣接して設置され、図５及び図６は前記エレクトロクロミックコンポーネント１４と偏光コンポーネント１３とが上下に隣接して設置される模式図である。
【００５０】
いくつかの実施例では、前記偏光コンポーネント１３は前記表示モジュールがスクリーンオフ状態にあるとき、偏光作用に基づいて前記表示コンポーネント１２により反射された環境光をフィルタリングする際に生じた透明度を第３透明度とし、前記第２透明度と前記第３透明度との差が所定範囲内にあり、これにより、表示モジュールに良好な整合性を有させる。
【００５１】
いくつかの実施例では、前記偏光コンポーネント１３は、
透明なガラス基板又はプラスチック基板等であり、偏光層に設置されるキャリアを提供する偏光基板と、
前記偏光基板に設置されて、前記偏光作用を有し、前記第２領域以外の前記表示領域内に位置する偏光層と、を備える。
【００５２】
前記偏光基板がガラス基板又はプラスチック基板であってもよい。
【００５３】
前記偏光基板に偏光層が貼り付け、塗布又はメッキされてもよい。前記偏光層はそれと特定の角度をなす光の透過のみを許容し、他の入射角度の光が透過できず、これにより、偏光コンポーネント１３によって光フィルタリングを行って、表示モジュールを透過して表示コンポーネント１２に入射された環境光を減少させることができるが、反射率のより高い表示コンポーネント１２はより多くの環境光が入射するとき、環境光を反射して表示への干渉を低減する一方、スクリーンオフ状態において表示コンポーネント１２の画素を露出させる現象を減少させることができる。
【００５４】
いくつかの実施例では、図４に示すように、前記偏光基板が前記第２領域以外の前記表示領域内に位置し、
前記エレクトロクロミックコンポーネント１４と前記偏光コンポーネント１３とが前記表示モジュールに平行する平面内に並列して設置され、前記第１方向が前記表示コンポーネント１２の第１側と前記第２側とを接続する方向である。
【００５５】
本実施例では、前記エレクトロクロミックコンポーネント１４と前記偏光コンポーネント１３とが同じ平面内に並列して設置される。
【００５６】
例えば、該エレクトロクロミックコンポーネント１４と前記偏光コンポーネント１３とが表示モジュール全体の表示面に平行する平面内に並列して設置されてもよい。
【００５７】
本実施例では、前記偏光コンポーネント１３が表示コンポーネント１２と保護ガラス１１との間に位置してもよく、同様に、エレクトロクロミックコンポーネント１４と前記偏光コンポーネント１３とが前記表示コンポーネント１２と前記保護ガラス１１との間に並列して設置される。
【００５８】
前記表示領域が第２領域及び第３領域に分けられてもよく、前記第３領域が前記第２領域以外の領域である。前記偏光コンポーネント１３全体が前記第３領域内に位置するが、前記エレクトロクロミックコンポーネント１４が前記第２領域内に位置する。
【００５９】
図４に示すように、前記偏光コンポーネント１３と前記エレクトロクロミックコンポーネント１４とが並列して設置される。
【００６０】
図４では、前記エレクトロクロミックコンポーネント１４は第１電極層１４１、第２電極層１４２及び第１電極層１４１と第２電極層１４２との間に位置するエレクトロクロミック材料１４３を含む。
【００６１】
図４に示される表示モジュール内に更にタッチコンポーネント１５が含まれ、該タッチコンポーネント１５はタッチパネルを備えるが、それに限らず、様々なタイプのタッチ操作、例えばポイントコンタクト操作及び／又はスワイプ操作を検出することができる。
【００６２】
いくつかの実施例では、前記タッチコンポーネント１５が更に表示モジュールの外部、例えば偏光コンポーネント１３と保護ガラス１１との間に設置されてもよい。
【００６３】
図４では、該表示コンポーネント１２はＯＬＥＤ表示コンポーネント１２である。前記ＯＬＥＤ表示コンポーネント１２はＯＬＥＤランプが表示画素を構成する表示コンポーネント１２である。
【００６４】
図４〜図６では、前記表示モジュール内に更にパッケージ（ＥＮＣＡＰ）ガラス１８が統合される。図４〜図６では、前記表示モジュール内に更に低温ポリシリコン（ＬＴＰＳ：Ｌｏｗ  Ｔｅｍｐｅｒａｔｕｒｅ  Ｐｏｌｙ−ｓｉｌｉｃｏｎ）ガラス１９が統合される。
【００６５】
いくつかの実施例では、前記偏光基板が前記表示領域全体内に位置し、
前記エレクトロクロミックコンポーネント１４は、
前記偏光基板の前記第２領域内の部分に設置される第１電極層１４１と、
前記第１電極層１４１に対向して設置され、印加された前記電気信号に基づき、前記第１電極層１４１と相互作用して電界を生じるように構成される第２電極層１４２と、
前記第１電極層１４１と前記第２電極層１４２との間に位置し、前記第１電極層１４１と前記第２電極層１４２との間に形成された電界に基づき、前記エレクトロクロミック材料１４３の透明度を変えるように構成されるエレクトロクロミック材料１４３と、を含む。
【００６６】
本実施例では、前記第１電極層１４１及び前記第２電極層１４２がいずれも薄膜電極層であってもよく、前記薄膜電極層は透明度が高く、印加によって電界を生じることができるという特性を有する。
【００６７】
具体的に、前記薄膜電極はＮ型酸化物半導体−酸化インジウムスズ（ＩＴＯ：Ｉｎｄｉｕｍ  Ｔｉｎ  Ｏｘｉｄｅ）電極を含むが、それに限らず、２つの電極層に印加した電圧を変えることにより、第１電極層１４１と第２電極層１４２との間に形成された電界を変える。
【００６８】
他の実施例では、前記第１電極層１４１及び第２電極層１４２に一定の電流を印加することにより、前記エレクトロクロミック材料１４３は異なる電流作用下（異なる電界に相当する）で色が変わる。
【００６９】
このように、前記第１電極層１４１と第２電極層１４２との間の電気信号を制御することにより、前記エレクトロクロミックコンポーネント１４の現在の透明度を容易に制御できる。
【００７０】
いくつかの実施例では、前記偏光基板は、
第１表面と、
前記第１表面の反対側の面であって、前記第１表面より前記表示コンポーネント１２寄り面である第２表面と、を含み、
前記第１電極層１４１が前記第１表面の前記第２領域内に設置され、又は、前記第１電極層１４１が前記第２表面の前記第２領域内に設置される。
【００７１】
本実施例では、前記第２表面が偏光基板の前記表示コンポーネント１２寄り片面であり、従って、第２表面が前記表示コンポーネント１２と前記第１表面との間に位置することに相当する。
【００７２】
本実施例では、前記第１電極層１４１が前記第１表面の第２領域内に設置され、又は、第１電極層１４１が前記第２表面の第２領域内に設置され、つまり、前記第１電極層１４１が偏光基板の２つの対向する表面のいずれか１つの表面に位置してもよい。
【００７３】
例えば、前記偏光基板の第１表面の第２領域内の偏光層を除去し、又は、前記偏光基板の第２表面の第２領域内の偏光層を除去し、次に第１電極層１４１を、前記偏光層を除去した偏光板の第１表面又は第２表面の第２領域内に設置する。
【００７４】
更に、例えば、前記偏光コンポーネント１３を製造するとき、前記偏光コンポーネント１３の前記第２領域以外の第３領域内のみに貼り付け、塗布又は電気メッキ等の方式で前記偏光層を形成し、これにより、前記第１電極層１４１を設置するために、前記第１電極層１４１を設置するための第２領域を直接残す。
【００７５】
本実施例では、前記タッチコンポーネント１５はタッチパネルを備え、該タッチパネルは様々なタッチ操作を検出することに用いられてもよく、該タッチ操作はクリック操作及び／又はスワイプ操作等を含むが、それらに限らない。
【００７６】
前記第１電極層１４１が前記第１表面にスプレーされる前記第２領域内の透明電極層であり、
又は、
前記第１電極層１４１が前記第２表面にスプレーされる前記第２領域内の透明電極層である。
【００７７】
本実施例では、スプレープロセスを用いて、更に流動性を有する透明導電性材料を前記第１表面又は第２表面の第２領域に設置する。図５に示すように、第１電極層１４１が前記偏光コンポーネント１３における偏光基板の第２表面の第２領域内に設置され、前記第２電極層１４２がタッチコンポーネント１５に含まれる電極からなり、これにより、前記第２電極層１２がタッチコンポーネント１５を多重化してタッチ電極を検出することに用いられ、表示モジュールの構成構造を簡略化し、それにより本実施例に係る表示モジュールは構造が簡単で精巧であるという特徴を有する。
【００７８】
いくつかの実施例では、前記エレクトロクロミック材料が前記タッチコンポーネント１５に含まれる電極からなる前記第２電極層上にスプレーされる。
【００７９】
図６に示すように、前記第１電極層１４１が偏光コンポーネント１３の第１表面の第１領域の電極層に設置され、前記第２電極層１４２が保護ガラス１１の内面にスプレーされる電極層であってもよい。
【００８０】
いくつかの実施例では、第１電極層１４１と第２電極層１４２との間に位置するエレクトロクロミック材料が前記第２電極層１２上にスプレーされてもよい。
【００８１】
いくつかの実施例では、前記エレクトロクロミック材料１４３が前記第１電極層１４１上にスプレーされる。
【００８２】
スプレープロセスによって前記第１電極層１４１及び／又は前記エレクトロクロミックの厚さを均一にすることができ、それにより表示モジュールの品質を確保し、且つ、プロセスが簡単であるという特徴を有する。
【００８３】
図５に示すように、前記表示モジュールは、更に、
前記偏光コンポーネント１３と前記表示コンポーネント１２との間に位置し、タッチ操作を検出するように構成されるタッチコンポーネント１５と、
前記タッチコンポーネント１５と前記偏光コンポーネント１３とを接着して、前記第２領域以外の前記表示領域内に位置する第１透明接着層１６と、を備え、
前記第１透明接着層１６は第１厚さを有し、前記タッチコンポーネント１５と前記偏光基板との間に第１収容空間を形成させ、前記エレクトロクロミックコンポーネント１４が前記第１収容空間内に位置する。
【００８４】
前記タッチコンポーネント１５は透明なタッチパネルを含むが、それに限らず、前記タッチ操作はクリック操作及び／又はスワイプ操作を含むが、それらに限らない。
【００８５】
本実施例では、前記第１透明接着層１６は透明なものであってもよく、且つその粘性によってタッチコンポーネント１５と偏光コンポーネント１３とを固定することができる。
【００８６】
本実施例では、前記第１透明接着層１６は第１厚さを有し、該第１厚さが前記エレクトロクロミックコンポーネント１４の厚さに一致してもよく、これにより、前記エレクトロクロミックコンポーネント１４も前記偏光基板と前記タッチコンポーネント１５との間に位置し、且つ前記第１電極層１４１が前記エレクトロクロミックコンポーネント１４の上電極層である。このように、前記第１透明接着層１６は前記タッチコンポーネント１５と前記偏光コンポーネント１３とを接着する作用を果たすだけでなく、支持作用も果たし、該支持作用によって前記タッチコンポーネント１５と前記偏光基板との間の隙間を、前記エレクトロクロミックコンポーネント１４を収納できるような寸法にする。
【００８７】
他の実施例では、図６に示すように、前記表示モジュールは、更に、
前記表示モジュールの外面に位置する保護ガラス１１と、
前記保護ガラス１１と前記偏光コンポーネント１３とを接着して、前記第２領域以外の表示領域内に位置する第２透明接着層１６と、を備え、
前記第２透明接着層１６は第２厚さを有し、前記保護ガラス１１と前記偏光基板との間に第２収容空間を形成させ、前記エレクトロクロミックコンポーネント１４が前記第２収容空間内に位置する。
【００８８】
本実施例では、前記保護ガラス１１は前記表示モジュール全体の最外層に位置し、且つ表示モジュール全体を保護するガラスであってもよい。前記保護ガラス１１が前記表示コンポーネント１２の表示面に向かっており、これにより、ユーザーが透明な保護ガラス１１によって表示モジュールの表示を見える。
【００８９】
本実施例では、前記エレクトロクロミックコンポーネント１４が前記偏光基板と前記保護ガラス１１との間に位置し、且つ前記偏光基板に位置する第１電極層が前記エレクトロクロミックコンポーネント１４の下電極層であってもよい。
【００９０】
同様に、本実施例では、前記第２透明接着層１６は接着作用を果たし、保護ガラス１１と前記偏光コンポーネント１３とを接着する一方、支持作用も果たし、前記保護ガラス１１と前記偏光コンポーネント１３との間に前記エレクトロクロミックコンポーネント１４を収納できるような隙間を有させる。
【００９１】
要するに、本実施例では、表示モジュールにエレクトロクロミックコンポーネント１４が導入され、且つ偏光コンポーネント１３に隣接して設置され、且つ、最終的に表示モジュールの動作状態の変化によって、表示モジュールがスクリーンオン状態にあり及び画像収集モジュールが画像収集状態にあるとき、第１透明度を有させ、それによりエレクトロクロミックコンポーネント１４の表示及び画像収集への干渉を低減するとともに、エレクトロクロミックコンポーネント１４が第２透明度を有するため、偏光層位置なしの表示コンポーネント１２及び／又はカメラの露出を減少させることができる。
【００９２】
図４、図５及び図６に示されるＯＬＥＤ表示コンポーネント１２が上記表示コンポーネント１２の１つである。
【００９３】
図７に示すように、本実施例の表示装置は、
上記いずれか１つの技術案に係る表示モジュールである表示モジュール２１と、
環境光をセンシングして画像を形成する感光面を有し、前記感光面が前記表示モジュール２１の内面の第１領域で覆われている画像収集モジュール２３と、
それぞれ前記表示モジュール２１及び前記画像収集モジュール２３と電気接続が確立され、前記表示モジュール２１がスクリーンオン状態にあり又は前記画像収集モジュール２３が画像収集状態にあるとき、前記表示モジュール２１におけるエレクトロクロミックが第１透明度を有するように制御し、前記表示モジュール２１がスクリーンオフ状態にあるとき、第２透明度を有し、前記第２透明度は前記第１透明度より低いように構成される処理モジュール２２と、を備える。
【００９４】
該表示装置が携帯電話、タブレット又はウェアラブルデバイス等のモバイルデバイスであってもよい。
【００９５】
該表示装置に含まれる表示モジュール２１は上記いずれか１つの技術案に係るエレクトロクロミックコンポーネントが含まれる表示モジュールである。
【００９６】
該処理モジュールは１つ又は複数のプロセッサを備え、該プロセッサは中央演算装置、マイクロプロセッサ、デジタルシグナルプロセッサ、プログラマブルアレイ又は特定用途向け集積回路を含むが、それらに限らない。
【００９７】
いくつかの実施例では、前記表示モジュールが有機発光ダイオードＯＬＥＤ表示モジュールである。
【００９８】
本実施例では、前記表示装置は上記いずれか１つの実施例に係る表示モジュールを用いるため、表示モジュールの表示面に画像収集モジュールの露出のための空間を残す必要がないとともに、エレクトロクロミックコンポーネントの導入、変色コンポーネントの透明度の切り替えのため、表示モジュールがスクリーンオン状態にあり又は画像収集モジュールが画像収集状態にあるとき、より高い透明度を有し、表示モジュールの表示及び／又は画像収集モジュールの画像収集に影響を与えない。そして、表示モジュールがスクリーンオフ状態にあるとき、より低い透明度を有し、画像収集モジュール及び／又は表示モジュール内の様々なコンポーネントの露出を減少させ、表示装置の外観を全体として呈させ、表示装置の整合性及びユーザー体験を向上させる。
【００９９】
図８に示すように、本実施例は更に表示装置の制御方法を提供し、該方法は、
表示モジュール及び画像収集モジュールの現在状態を決定するステップＳ１１０と、
表示モジュールがスクリーンオン状態にあり又は画像収集モジュールが画像収集状態にあるとき、エレクトロクロミックコンポーネントに第１電気信号を印加するステップＳ１２０と、
前記エレクトロクロミックコンポーネントが前記第１電気信号に基づいて第１透明度を有し、前記第１透明度によって、前記表示モジュールの画素を、前記エレクトロクロミックコンポーネントの位置する第２領域を透過して表示させ、又は、前記画像収集モジュールに前記第２領域を透過して画像収集を行わせるステップＳ１３０と、
前記表示モジュールがスクリーンオフ状態にあるとき、前記エレクトロクロミックコンポーネントに第２電気信号を印加するステップＳ１４０と、
前記エレクトロクロミックコンポーネントが前記第２電気信号に基づいて第２透明度を有し、前記第２透明度は前記第１透明度より低いステップＳ１５０と、を含む。
【０１００】
該表示装置がユーザー装置であってもよく、ユーザーの入力によって表示モジュール及び画像収集モジュールの現在状態を把握できる。例えば、ユーザーがタッチコンポーネントに作用するタッチ操作を検出し、又は、ユーザーが表示装置の外面の様々な物理キーに作用する様々な操作を検出し、これらの操作は表示装置の表示モジュールが点灯され又はオフにされるようにトリガーし、又は前記画像収集モジュールが画像収集状態に入るようにトリガーする可能性がある。
【０１０１】
本実施例では、表示モジュール及び画像収集モジュールの現在状態に応じて、エレクトロクロミックコンポーネントの透明度の切り替えを制御し、実現しやすい特徴を有する。
【０１０２】
いくつかの実施例では、前記方法は、更に、
前記表示モジュールが前記スクリーンオン状態にあって、前記画像収集モジュールが収集状態にあるとき、オフ信号を生成することと、
前記表示モジュールが前記オフ信号によって前記第２領域内の画素をオフにするように制御することと、を含む。
【０１０３】
例えば、前記表示モジュールが駆動回路を備え、駆動回路が表示モジュール内の各表示画素に表示する駆動信号を提供する。前記オフ信号を受信した後、駆動回路が前記第２領域内の画素に駆動信号を提供しないように制御し、これにより、第２領域内の画素が非表示のオフ状態にある。
【０１０４】
いくつかの実施例では、前記表示モジュールがスクリーンオフ状態にあるとき、前記表示装置の偏光コンポーネントが偏光作用に基づいて前記表示コンポーネントにより反射された環境光をフィルタリングした後、前記第２領域以外の表示領域に第３透明度を有させ、前記第３透明度と前記第１透明度との透明度差が所定範囲内にある。前記第３透明度と前記第１透明度との透明度差が所定範囲内にある。
【０１０５】
透明度の設定によって、表示モジュールがスクリーンオフ状態にあるとき、より高い整合性を有させることができる。
【０１０６】
以下、上記いずれか１つの実施例と組み合わせていくつかの具体例を提供する。
【０１０７】
例１
本例に係る表示モジュールは撮影（すなわち、画像収集）時、エレクトロクロミック材料が透明状態にあり、表示モジュール外側の光ができる限りエレクトロクロミック材料を透過してカメラに入る。スクリーンが点灯されるとき、エレクトロクロミック材料が透明状態にあり、ＯＬＥＤディスプレイ（すなわち、上記表示コンポーネントの１つ）から出した光が変色材料を透過して、カメラ（画像収集コンポーネント）の位置する領域の表示効果を他の領域の表示効果に一致させることができる。
【０１０８】
ＯＬＥＤディスプレイ画面がオフにされるとき、変色材料がオフ状態（暗色）にあるため、外部光が変色材料を透過できず、カメラ領域が黒色状態にあり、スクリーン整合性を大幅に向上させる。
【０１０９】
撮影モード（つまり、画像収集モジュールが画像収集状態にある）において、エレクトロクロミック材料が透明状態にあり、外部環境光は変色材料を透過してカメラに入ることができ、それにより撮影効果を確保する。
【０１１０】
ＯＬＥＤディスプレイの表示モード（つまり、スクリーンオン状態にある）において、エレクトロクロミック材料が透明状態にあり、ＯＬＥＤディスプレイのカメラ領域は内容を正常に表示することができ、スクリーンの輝度がカメラの反射光の輝度より大幅に高いため、実際にはユーザーがカメラを見えず、それによりユーザーはスクリーンが一体であることを感じる。
【０１１１】
ＯＬＥＤディスプレイの待機モード（つまり、スクリーンオフ状態にある）において、エレクトロクロミック材料が非透明状態にあり、環境光が変色材料を透過できず、カメラを見えないため、スクリーン全体が一体になる。
【０１１２】
例２
本例に係る表示モジュールはカメラ領域においてエレクトロクロミック材料をディスプレイモジュールのタッチコンポーネントと保護ガラスとの間に挿入する。該領域において偏光コンポーネントにおける偏光作用を有する偏光シートを剪断して除去し、該位置にＳＰＤ材料が含まれるエレクトロクロミック材料を挿入する。
【０１１３】
例３
本例に係る表示モジュールはタッチコンポーネントのカメラ領域内の電極層を変色材料の下電極層とし、変色材料をタッチコンポーネントにスプレーし、上電極層（上記第１電極層に対応する）を偏光片の底層にスプレーする。
【０１１４】
例４
本例に係る表示モジュールはカメラ領域の下電極層を偏光材料基材（該領域において偏光材料を除去する）の上層にスプレーし、変色材料を偏光片の電極層上にスプレーし、上電極層を保護ガラスの底面にスプレーする。
【０１１５】
要するに、本願の例２〜例４に係る表示モジュールはエレクトロクロミック材料の自動切り替えによって、非表示状態及びスクリーンオン状態にあるとき、スクリーンのカメラ領域及び非カメラ領域を一体にする。カメラが動作するとき、変色材料が透明状態にあり、光ができる限り変色材料を透過してカメラに入るため、撮影効果に影響を与えない。該カメラが前置カメラであってもよく、該カメラが上記画像収集モジュールである。図９は例示的な実施例に係る上記表示装置のための装置８００のブロック図である。例えば、装置８００が携帯電話、コンピュータ、デジタル放送端末、メッセージ送受信装置、ゲームコンソール、タブレット装置、医療機器、フィットネス機器、パーソナルデジタルアシスタント等であってもよい。
【０１１６】
図９に示すように、装置８００は処理コンポーネント８０２、メモリ８０４、電源コンポーネント８０６、マルチメディアコンポーネント８０８、オーディオコンポーネント８１０、入力／出力（Ｉ／Ｏ）インターフェース８１２、センサコンポーネント８１４及び通信コンポーネント８１６のうちの１つ又は複数を含んでもよい。
【０１１７】
処理コンポーネント８０２は、一般的に装置８００の全体操作、例えば表示、電話コール、データ通信、カメラ操作及び記録操作に関連する操作を制御する。上記方法の全部又は一部のステップを完了するために、処理コンポーネント８０２は命令を実行する１つ又は複数のプロセッサ８２０を備えてもよい。また、処理コンポーネント８０２と他のコンポーネントとの相互作用のために、処理コンポーネント８０２は１つ又は複数のモジュールを備えてもよい。例えば、マルチメディアコンポーネント８０８と処理コンポーネント８０２との相互作用のために、処理コンポーネント８０２はマルチメディアモジュールを備えてもよい。
【０１１８】
メモリ８０４は、装置８００の動作をサポートするために、様々なタイプのデータを記憶するように構成される。これらのデータの例は装置８００においていかなるアプリケーションプログラム又は方法を操作するための命令、連絡先データ、電話帳データ、メッセージ、ピクチャ、ビデオ等を含む。メモリ８０４がいかなるタイプの揮発性記憶装置又は不揮発性記憶装置、例えば、スタティックランダムアクセスメモリ（ＳＲＡＭ）、電気的消去可能プログラム可能読み出し専用メモリ（ＥＥＰＲＯＭ）、消去可能プログラム可能読み出し専用メモリ（ＥＰＲＯＭ）、プログラム可能読み出し専用メモリ（ＰＲＯＭ）、読み出し専用メモリ（ＲＯＭ）、磁気メモリ、フラッシュメモリ、磁気ディスク、光ディスク又はそれらの組み合わせで実現されてもよい。
【０１１９】
電源コンポーネント８０６は、装置８００の様々なコンポーネントに電力を提供する。電源コンポーネント８０６は電源管理システム、１つ又は複数の電源及び装置８００に電力を生成、管理及び分配することに関連する他のコンポーネントを備えてもよい。
【０１２０】
マルチメディアコンポーネント８０８は、前記装置８００とユーザーとの間に１つの出力インターフェースを提供するスクリーンを備える。いくつかの実施例では、スクリーンは液晶ディスプレイ（ＬＣＤ）及びタッチパネル（ＴＰ）を備えてもよい。スクリーンがタッチパネルを備える場合、ユーザーからの入力信号を受信するために、スクリーンがタッチスクリーンとして実現されてもよい。タッチ、スワイプ及びタッチパネル上のジェスチャーを感知するために、タッチパネルが１つ又は複数のタッチセンサを備える。前記タッチセンサはタッチ又はスワイプ動作の境界を感知するだけでなく、前記タッチ又はスワイプ操作に関連する持続時間及び圧力も検出する。いくつかの実施例では、マルチメディアコンポーネント８０８は１つの前置カメラ及び／又は後置カメラを備える。装置８００が動作モード、例えば撮影モード又はビデオモードにあるとき、前置カメラ及び／又は後置カメラは外部のマルチメディアデータを受信することができる。各前置カメラ及び後置カメラは１つの一定の光学レンズ系であり、又は合焦及び光学ズーム機能を有してもよい。
【０１２１】
オーディオコンポーネント８１０は、オーディオ信号を出力及び／又は入力するように構成される。例えば、オーディオコンポーネント８１０は１つのマイクロフォン（ＭＩＣ）を備え、装置８００が動作モード、例えばコールモード、記録モード及び音声認識モードにあるとき、マイクロフォンは外部オーディオ信号を受信するように構成される。受信されたオーディオ信号は更にメモリ８０４に記憶され、又は通信コンポーネント８１６を介して送信されてもよい。いくつかの実施例では、オーディオコンポーネント８１０は更にオーディオ信号を出力するように構成される１つの拡声器を備える。
【０１２２】
Ｉ／Ｏインターフェース８１２は、処理コンポーネント８０２と周辺インターフェースモジュールとの間にインターフェースを提供し、上記周辺インターフェースモジュールがキーボード、クリックホイール、キー等であってもよい。これらのキーはホームページキー、音量キー、起動キー及びロックキーを含んでもよいが、それらに限らない。
【０１２３】
センサコンポーネント８１４は、装置８００に各面の状態の評価を提供するように構成される１つ又は複数のセンサを備える。例えば、センサコンポーネント８１４は装置８００のオン／オフ状態、コンポーネントの相対位置決め、例えば前記コンポーネントが装置８００のディスプレイ及びキーパッドであることを検出することができ、センサコンポーネント８１４は更に装置８００又は装置８００の１つのコンポーネントの位置変化、ユーザーと装置８００とが接触しているかどうか、装置８００の方位又は加速／減速及び装置８００の温度変化を検出することができる。センサコンポーネント８１４は物理的に接触しない際に近傍物体の存在を検出するように構成される接近センサを備える。センサコンポーネント８１４は更にイメージングアプリケーションに使用される光センサ、例えばＣＭＯＳ又はＣＣＤ画像センサを備えてもよい。いくつかの実施例では、該センサコンポーネント８１４は更に加速度センサ、ジャイロセンサ、磁気センサ、圧力センサ又は温度センサを備えてもよい。
【０１２４】
通信コンポーネント８１６は、装置８００と他の装置との有線又は無線方式の通信に役立つように構成される。装置８００が通信規格に基づく無線ネットワーク、例えばＷｉＦｉ、２Ｇ、３Ｇ又はそれらの組み合わせにアクセスされてもよい。例示的な実施例では、通信コンポーネント８１６は報知チャネルを介して外部放送管理システムからの放送信号又は放送関連情報を受信する。例示的な実施例では、近距離通信を促進するために、前記通信コンポーネント８１６は更に近距離無線通信（ＮＦＣ）モジュールを備える。例えば、ＮＦＣモジュールは無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術によって実現されてもよい。
【０１２５】
例示的な実施例では、上記方法を実行するために、装置８００は１つ又は複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品で実現されてもよい。
【０１２６】
例示的な実施例では、更に命令を含む非一時的コンピュータ可読記憶媒体、例えば命令を含むメモリ８０４を提供し、上記方法を完了するために、上記命令が装置８００のプロセッサ８２０で実行されてもよい。例えば、前記非一時的コンピュータ可読記憶媒体がＲＯＭ、ランダムアクセスメモリ（ＲＡＭ）、ＣＤ−ＲＯＭ、磁気テープ、フロッピー（登録商標）ディスク及び光データ記憶装置等であってもよい。
【０１２７】
非一時的コンピュータ可読記憶媒体であって、前記記憶媒体における命令がモバイル端末のプロセッサにより実行されるとき、表示装置が上記いずれか１つの表示装置の制御方法、例えば図８に示される方法を実行する。
【０１２８】
当業者が明細書を考慮してここで開示される発明を実践した後、本開示の他の実施形態に容易に想到し得る。本願は本開示のいかなる変形、用途又は適応変化を含むように意図され、これらの変形、用途又は適応変化は本開示の一般原理に従い、且つ本開示に開示されていない本技術分野の周知技術又は常用の技術的手段を含む。明細書及び実施例は例示的なものであると見なされ、本開示の真の範囲及び主旨は以下の特許請求の範囲により示されるものとする。
【０１２９】
本開示は以上に説明されて図面に示される正確な構造に限らず、その範囲を逸脱せずに種々の修正や変更を行うことができると理解すべきである。本開示の範囲は添付の特許請求の範囲のみに制限される。
【図１】
2021529976.tif 000003
【図２】
2021529976.tif 000004
【図３Ａ】
2021529976.tif 000005
【図３Ｂ】
2021529976.tif 000006
【図４】
2021529976.tif 000007
【図５】
2021529976.tif 000008
【図６】
2021529976.tif 000009
【図７】
2021529976.tif 000010
【図８】
2021529976.tif 000011
【図９】
2021529976.tif 000012
【国際調査報告】
2021529976.tif 000013
2021529976.tif 000014
2021529976.tif 000015
2021529976.tif 000016